(57)【要約】【課題】本発明は、安全性が損なわれない程度で蓋体のロックを解除することで洗濯物の追加や取出しができる安全で使い勝手の良い洗濯機を提供することを目的とする。【解決手段】本発明は、洗う洗濯物を出し入れする開口部がある洗濯槽と、前記洗濯槽を回転駆動する電動機と、前記開口部を開閉する蓋体と、前記蓋体を閉状態にロックする蓋ロック装置と、洗い，すすぎ，脱水を含む運転コースを入力する入力設定手段と、前記電動機の駆動回転、前記蓋ロック装置のロック，解除の作動を制御する制御装置を有する洗濯機において、前記蓋体の開閉を検知する蓋検知手段を設け、前記洗いの運転は洗濯量を検知する洗濯量検知工程部と洗い工程部を含み、前記洗い工程部では前記蓋検知手段が蓋閉を検知したら前記蓋ロック装置をロック状態とし、前記洗濯量検知工程部では前記洗い工程部では前記蓋検知手段が蓋閉ないし蓋未閉の検知を問わず前記蓋ロック装置をロック解除状態となるように前記制御装置で制御することを特徴とする。【選択図】図１
2011050675.tif 000002
【特許請求の範囲】
【請求項１】
洗う洗濯物を出し入れする開口部がある洗濯槽と、
前記洗濯槽を回転駆動する電動機と、
前記開口部を開閉する蓋体と、
前記蓋体を閉状態にロックする蓋ロック装置と、
洗い，すすぎ，脱水を含む運転コースを入力する入力設定手段と、
前記電動機の駆動回転、前記蓋ロック装置のロック，解除の作動を制御する制御装置を有する洗濯機において、
前記蓋体の開閉を検知する蓋検知手段を設け、
前記洗いの運転は洗濯量を検知する洗濯量検知工程部と洗い工程部を含み、
前記洗い工程部では前記蓋検知手段が蓋閉を検知したら前記蓋ロック装置をロック状態とし、前記洗濯量検知工程部では前記洗い工程部では前記蓋検知手段が蓋閉ないし蓋開の検知を問わず前記蓋ロック装置をロック解除状態となるように前記制御装置で制御することを特徴とする洗濯機。
【請求項２】
請求項１記載の洗濯機において、
前記洗濯量検知工程部では給水をせずに乾布の洗濯物を計測する洗濯量検知が行われることを特徴とする洗濯機。
【請求項３】
請求項１記載の洗濯機において、
前記洗い工程部で前記蓋検知手段による蓋閉の検知が所定時間経過しても行われないときは蓋が開かれたままであることを蓋開エラー警告の報知が前記制御装置の制御で行なわれることを特徴とする洗濯機。
【請求項４】
請求項１記載の洗濯機において、
前記洗い工程部で前記蓋検知手段による蓋閉の検知が所定時間経過しても行われないときは前記洗濯量検知工程部の初期状態に戻る制御が前記制御装置で行なわれることを特徴とする洗濯機。
【請求項５】
請求項１記載の洗濯機において、
前記蓋ロック装置のロック状態で前記洗い工程部が推移しているときにロック状態を解いて解除状態にする指示機能を前記入力設定手段に設けたことを特徴とする洗濯機。
【請求項６】
請求項５記載の洗濯機において、
前記洗い工程部が推移して給水が行われた後に前記入力設定手段で前記蓋ロック装置を解除状態にして前記蓋体が開かれた後に、前記蓋検知手段による蓋閉の検知が所定時間経過しても行われないときには前記制御装置は前記洗濯槽内の洗濯水を排水させるために電磁排水弁を開くように制御することを特徴とする洗濯機。
【請求項７】
請求項６記載の洗濯機において、
前記排水が行われて所時間経過したら前記検知工程部の初期状態に戻る制御が前記制御装置で行なわれることを特徴とする洗濯機。
【請求項８】
請求項５記載の洗濯機において、
前記蓋ロック装置を解除状態にして前記蓋体が開かれた後に、前記蓋検知手段による蓋閉の検知が行われると前記制御装置は前記入力設定手段で既に設定されている運転コースに移行する制御を行なうことを特徴とする洗濯機。
【発明の詳細な説明】
【技術分野】
【０００１】
本発明は、洗濯槽の開口部を開閉する蓋体を閉状態にロックする蓋ロック装置を備えた洗濯機に関するものである。
【背景技術】
【０００２】
この蓋ロック装置を備えた洗濯機は、例えば、特開２００６−１８０９６０号公報（特許文献１）に記載されている。
【０００３】
特許文献１に示す洗濯機は、洗濯槽の開口部を開閉する蓋体が運転中には閉状態でロックされ、誤って開かれることがないので安全である。
【先行技術文献】
【特許文献】
【０００４】
【特許文献１】特開２００６−１８０９６０号公報
【発明の概要】
【発明が解決しようとする課題】
【０００５】
しかし、安全性が高められる一方で蓋体が閉状態にロックされてしまうので洗いの運転に入ってから蓋体を開いて洗濯物の追加や取出しをすることができなく、使い勝手を損ねる。上記の課題に鑑み、本発明は、安全性が失われない程度に蓋体のロックを解除することにより洗濯物の追加や取出しができる安全で使い勝手の良い洗濯機を提供することを目的とする。
【課題を解決するための手段】
【０００６】
本発明は、洗う洗濯物を出し入れする開口部がある洗濯槽と、前記洗濯槽を回転駆動する電動機と、前記開口部を開閉する蓋体と、前記蓋体を閉状態にロックする蓋ロック装置と、洗い，すすぎ，脱水を含む運転コースを入力する入力設定手段と、前記電動機の駆動回転、前記蓋ロック装置のロック，解除の作動を制御する制御装置を有する洗濯機において、前記蓋体の開閉を検知する蓋検知手段を設け、前記洗いの運転は洗濯量を検知する洗濯量検知工程部と洗い工程部を含み、前記洗い工程部では前記蓋検知手段が蓋閉を検知したら前記蓋ロック装置をロック状態とし、前記洗濯量検知工程部では前記洗い工程部では前記蓋検知手段が蓋閉ないし蓋未閉の検知を問わず前記蓋ロック装置をロック解除状態となるように前記制御装置で制御することを特徴とする。
【発明の効果】
【０００７】
本発明によれば、洗い工程部では蓋ロック装置がロック状態なるので安全であり、洗濯量を検知する検知工程部では蓋ロック装置がロック解除状態であるので洗濯物の追加や取出しができる使い勝手の良い洗濯機を提供できる。
【図面の簡単な説明】
【０００８】
【図１】本発明の実施例に係るもので、洗濯機の全体を縦に断面した縦断面図である。
【図２】本発明の実施例に係るもので、蓋ロック装置のロック解除状態を示す図である。
【図３】本発明の実施例に係るもので、蓋ロック装置のロック状態を示す図である。
【図４】本発明の実施例に係るもので、蓋検知手段を示す図である。
【図５】本発明の実施例に係るもので、制御ブロック回路を示す図である。
【図６】本発明の実施例に係るもので、入力設定手段が備わる操作パネルを示す図である。
【図７】本発明の実施例に係るもので、洗いから最終脱水に亘る洗濯運転の全体的な洗濯運転のフローを示す図である。
【図８】本発明の実施例に係るもので、本発明の主要部である洗いの運転での洗濯量検知工程部から洗い工程部に亘る蓋ロック装置のフローを示す図である。
【発明を実施するための形態】
【０００９】
以下、本発明の実施形態に係わる実施例について、図を引用して説明する。
【００１０】
まず、図１、図２、図３、図を基にして洗濯機の概要から説明する。
【００１１】
図１に示す洗濯機の縦断面図において洗濯機の外筺体は、外枠１、外枠１を下から支持する外枠ベース２、外枠１の上に設けられたトップカバー３、トップカバー３に開閉自在に備わる蓋体４を有する。外槽５は外筺体内にあって外枠１の上側内部に設けたコーナ支持部８より垂下する吊棒７に防振バネ２１を介して防振支持される。
【００１２】
洗濯槽９は外槽５内に回転自在に置かれる。洗濯脱水用の電動機１９としてのＤＣブラシレスモータは外槽５の底側下面に設けられる。洗濯脱水用の電動機１９は外槽５にしっかり取り付けられる。洗濯脱水用モータ１９の回転主軸には駆動プーリ１７が締結される。
【００１３】
攪拌翼１１は洗濯槽９内に回転自在に置かれる。ギャーケース１４は外槽５の外側下面で攪拌翼１１の真下に固定される。ギャーケース１４の下部に設けたクラッチは従動プーリ１５を有する。従動プーリ１５と駆動プーリ１７に掛け渡したベルトを介して電動機１９の回転はクラッチに伝わり、ギャーケース１４のギャーに伝えられる。
【００１４】
ギャーケース１４の内側出力軸には攪拌翼１１が締結され、外側出力軸には洗濯槽９が締結される。
【００１５】
洗濯脱水用の電動機１９の駆動回転は、クラッチ（回転伝達切り替え手段）で切り替えられる。クラッチ（回転伝達切り替え手段）の切り替えで電動機１９の回転が攪拌翼１１に伝達されたり、洗濯槽９と攪拌翼１１に伝達されたりする。
【００１６】
攪拌翼１１の攪拌回転で洗濯槽９内の洗濯物が洗濯される。洗濯槽９の高速で洗濯槽９内の洗濯物は遠心脱水が行われる。
【００１７】
洗濯物の脱水では電動機１９は高速で回転し、洗濯槽９の胴体に設けた脱水穴３ａから遠心脱水が行われる。洗濯槽９は上部にバランサー１０を備えているので、遠心脱水時、洗濯物の片寄りによるアンバランス発生時の異常振動は緩和される。
【００１８】
蓋体４は洗濯槽９の上部に設けた開口部を開閉する。洗濯中や脱水中は閉じられている蓋体４は後述する蓋ロック装置でロックされるので、蓋体４を開くことはできない。洗濯物を洗濯槽９に出し入れするときは蓋ロック装置のロックが解除されているので蓋体４を開くことができる。
【００１９】
コントロール基板２７はトップカバー３に備えられる。コントロール基板２７の表面には操作パネル３６が設けられる。操作パネル３６には、後述する入力設定手段、電源スイッチ等が設けられる。
【００２０】
水位センサー３８はトップカバー３の裏側に備えられる。圧力チューブ２６を介して水位センサー３８はエアートラップ１４の空気室に通じている。外槽５内に貯留する洗濯水の水位は水圧の変化により水位センサー３８により検知され、その水位情報はコントロール基板２７に提供され、給水がコントロールされる。
【００２１】
注水ケース２５は、給水電磁弁６を介して給水ホース３１に接続される。給水ホース３１は水道水供給の蛇口に接続される。水道水は給水電磁弁６の開放によって注水ケース２５を通じて洗濯槽９に注がれる。
【００２２】
外槽カバー１３は外槽５の上部に設けられる。注水ケース２５から流出する水道水が洗濯槽９の外側に逸れても外槽カバー１３にガイドされ機外に流出して床面を濡らさないような構成となっており、全ての供給された水は洗濯槽９に注がれる。
【００２３】
排水電磁弁２２は外槽５の底部に設けた排水口に連通する排水ホース２３に備わる。洗濯やすすぎで使った水は排水電磁弁２２の開放で排水ホース２３を通じて機外へ排水される。
【００２４】
本発明の主要部である蓋ロック装置、蓋検知スイッチについて図２、図３、図４を引用して説明する。
【００２５】
まず、蓋ロック装置について説明する。
【００２６】
図２、図３に示すように、蓋ロック装置はトップカバー３の前側内部に設ける。蓋ロック装置はベース板１００、ソレノイド１０１、ロックプランジャー１０２、付勢バネ（図示せず）を有する。トップカバー３の支持ボス１０３にベース板１００を固定ネジ１０５で止めて固定する。
【００２７】
ロックプランジャー１０２は、図２に示すように、ソレノイド１０１に通電すると付勢バネに抗してソレノイド１０１に引き寄せられる。ソレノイド１０１の通電を止めると、
図３に示すように、ロックプランジャー１０２は付勢バネの力でソレノイド１０１から突き出る。
【００２８】
蓋体４は前側に立ち下がる垂下壁部１０６にロックプランジャーが出入りする止穴１０４を有する。図３に示すように、ソレノイド１０１の通電が止められているときは、ロックプランジャー１０２がソレノイド１０１から突き出て止穴１０４に挿入されるので、閉じた蓋体４にロックがかかるロック状態になる。
【００２９】
図３に示すように、ソレノイド１０１に通電され、ロックプランジャー１０２がソレノイド１０１に引かれて止穴１０４から抜けるので、蓋体４のロックが解けたロック解除状態になる。
【００３０】
蓋検知スイッチについて説明する。
【００３１】
図４に示すように、蓋体４の開閉を検知する蓋検知手段としての蓋検知スイッチは、開閉センサー１１０とマグネット１１１を有する。開閉センサー１１０はトップカバー３の前側内部に設ける。マグネット１１１は、蓋体４の前側に立ち下がるよう形成された垂下壁部１０３の内側に設ける。そして、マグネット１１１と開閉センサー１１０は蓋体４が閉じられたときに対向するように設けられる。
【００３２】
蓋体４が閉じられたときには、開閉センサー１１０がマグネット１１１の磁力を感知して蓋体４が閉じられ蓋体の閉じを検知する。蓋体４が開かれると開閉センサー１１０がマグネット１１１の磁力を感知しなくなるので、蓋体の開きを検知する。
【００３３】
なお、蓋検知スイッチは蓋体の開閉作動に応じて開閉接点がオン・オフする開閉器を用いることが可能である。
【００３４】
また、蓋体４は垂下壁部１０３の下端に１１２を備え、蓋体４を閉じる際の衝突をやわらげている。
【００３５】
洗濯機の制御回路について、図５に示す制御ブロック回路を引用して説明する。
【００３６】
制御回路は、前記図１に示したコントロール基板２７に備わる。
【００３７】
制御回路（制御装置）は、マイコンで作られた制御ユニット部６１、入力回路部７０、出力駆動回路部７１を有する。制御部６１は、ＣＰＵ６２（中央制御部）、タイマー６３、メモリー６４、出力ポート６５、入力ポート６６を有する。ＣＰＵ６２は演算部６２a、制御部６２ｂを有する。メモリー６４はＲＡＭ６４ａとＲＯＭ６４ｂを有する。
【００３８】
入力回路部７０には、電源スイッチ３７、水位センサー３８、ＩＣホール素子７４、蓋開閉センサー７５（前述した開閉センサー１１０とマグネット１１１で構成した蓋検知スイッチに対応）、全自動選択キー７６、マニアル設定キー７７、布量センサー７８、蓋ロック操作キー７９が接続される。各種のスイッチやセンサーの情報信号は入力回路部７０に入力され、入力回路部７０を通じて制御ユニット部６１に情報を伝達する。
【００３９】
出力駆動回路部７１には、洗濯脱水用の電動機１９であるＤＣブラシレスモータ、給水電磁弁６、排水電磁弁２２、蓋ロック装置の蓋ロックソレノイド７９（前述したソレノイド１０１に対応する）、終了ブザー８０が接続される。ＤＣブラシレスモータ、排水電磁弁２２を含む各種電気機器は制御ユニット部６１（制御手段）の制御のもとで、出力駆動回路部７１を通じて供給される電力で作動する。
【００４０】
操作パネルについて図６を引用して詳しく説明する。
【００４１】
操作パネル３６は、前述したとおりトップカバー３に設けられ、入力設定手段が備えられる。入力設定手段としてのスイッチは右端から電源スイッチ３７、省エネスイッチ１３０、洗濯コースの選択スイッチ１３１である。また、左端からは洗濯スイッチ１３２、リンススイッチ１３３、脱水スイッチ１３４、脱水速度スイッチ１３５、水位選択スイッチ１３６である。中央がスタート・一時停止スイッチ１３７である。
【００４２】
洗濯コースの選択スイッチ１３１が図５を引用して前述した全自動選択キー７６に対応する。洗濯スイッチ１３２、リンススイッチ１３３、脱水スイッチ１３４、脱水速度スイッチ１３５、水位選択スイッチ１３６が図５を引用して前述したマニアル設定キー７７に対応する。
【００４３】
本発明の主要部である蓋ロックに関係するのは、スタート・一時停止スイッチ１３７、洗濯スイッチ１３２、蓋ロック表示部１３８である。
【００４４】
スタート・一時停止スイッチ１３７は、これを押すことで蓋ロック装置がロック解除状態になる。洗濯スイッチ１３２は洗濯運転の洗い時間を設定するスイッチで、これを押すことで蓋ロック装置がロック状態になる兼用のスイッチになっている。兼用を止めて蓋ロック専用のスイッチを設けることも可能である。
【００４５】
また、洗濯スイッチ１３２は後述する洗いの運転での洗濯量検知工程部で押されても蓋ロック装置はロック状態にならない。洗濯量検知工程部では蓋体の開閉を問わず、蓋ロック装置はロック状態にならないように制御装置の制御が働くようにしている。
【００４６】
蓋ロック表示部１３８は蓋ロック装置がロックされたロック状態を明かりの点滅で示す。また、ここには図示されていないが、蓋体を閉じることを促す蓋開エラー警告の報知が行われる表示手段、音声発生手段やブザーを備える。
【００４７】
洗濯運転の全体的な洗濯運転のフローについて図７を引用して説明する。
【００４８】
洗濯運転は、図７に示すように、洗いの運転２００、排水２１２、脱水（１）２１３、
給水２１４、すすぎ（１）２１５、排水２１６、脱水（２）２１７、給水２１８、すすぎ（２）２１９、排水２２０、最終脱水２２１と推移するフローである。
【００４９】
本発明の主要部に係る蓋体のロックは洗いの運転２００での蓋ロックに関するものである。洗いの運転２００は洗濯物の量を計測検知する洗濯量検知工程部２１０と洗い工程部２１１を含む。
【００５０】
洗濯量検知工程部２１０では蓋体のロックが行われないようにする。洗濯量検知工程部では蓋体がロックされず、蓋体を開いて洗濯物の追加や取り出しができ、使い勝手が良い。洗い工程部２１１では蓋体にロックがかかるので開けられない。洗濯水が入った洗濯槽の開口を閉じるロックのかかった蓋体は開けることができないので安全である。
【００５１】
これに関し、図８を引用して詳しく述べる。
【００５２】
図８に示すように、洗濯量の検知ルーチンが洗濯量検知工程部２１０、運転制御ルーチンが洗い工程部２１１である。
【００５３】
まず、洗濯量検知工程部２１０について説明する。
【００５４】
初期状態（ステップ３００）では蓋体が閉じられている。ステップ３０１で蓋体が開かれ、洗濯物が投入され（ステップ３０２）、電源スイッチ３７がオンされる（ステップ３０３）。マニュアル設定キー７７や全自動洗濯キー７６が押されて洗濯のコース選択が行われる（ステップ３０４）。
【００５５】
そして、スタート・一時停止スイッチ１３７を押すと（ステップ３０５）、洗濯量検知が自動的に行われ、洗濯量計量表示が行われる（ステップ３０６）。この洗濯量検知工程部では洗濯槽に給水がされないので、乾布状態の洗濯物量検知が行われる。
【００５６】
洗濯量検知工程部が推移するもとで蓋体はロック状態にしない。蓋体の閉じにより、蓋検知手段としての蓋検知スイッチが蓋体の閉じを検知しても制御回路（制御装置）は蓋ロック装置がロック解除状態になるように制御する。つまり、洗濯量検知工程部では、制御装置は蓋検知スイッチが閉ないし蓋開の検知を問わず蓋ロック装置をロック解除状態となるように制御する。
【００５７】
このため、洗濯量検知工程部が終了するまでは、何時でも蓋体を開いて洗濯物の追加や取り出しができ、使い勝手が良い。給水をしない乾布のままで洗濯量検知を行うので、洗濯槽には水がなく、蓋体が自由に開けれる状態にしても不安全ではないのである。
【００５８】
ステップ３０６の洗濯量計量表示が行われ、洗い工程部２１１に推移すると、ステップ３０７で蓋体が開いているか否か確認される。この確認は蓋検知スイッチの信号を制御装置が読んで行う。蓋体の閉じが確認されると、制御装置の制御により蓋ロック装置がロック状態になるように作動する（ステップ３０８）。図３に示すように、ロックプランジャー１０２が突き出て止穴１０４に挿入され、ロック状態になるので蓋体にロックがかかる。
【００５９】
ステップ３０８で蓋体にロックが掛かったら給水が開始（ステップ３０９）して洗濯槽に洗濯水が溜まり、洗濯運転が行なわれる。ステップ３０７で蓋体の開かれている状態を
蓋検知スイッチが検知すると、ステップ３１０で５秒間（所定時間Ｔ１）の経過を待つ。
【００６０】
蓋体の開かれている状態が５秒間経過すると、ステップ３１１で蓋体が開放されたままであることを告げる蓋開エラー警告が報知される。この報知でユーザに蓋体を閉じることを促す。蓋開エラー警告に引き続き、ステップ３１２で蓋体が閉じられたか否かが逐次調べられ、蓋体が閉じられると先のステップ３０８に移行する。
【００６１】
ステップ３１２で蓋体の未閉じが確認されると、ステップ３１３で３分間（所定時間Ｔ２）の経過を待つ。蓋開エラー警告後も蓋体が閉じられずに３分間経過すると、ステップ３１３で初期状態（ステップ３００）に戻る。
【００６２】
このように、洗い工程部２１１に移行すると、蓋体の開閉が蓋検知スイッチで逐次検知される。そして、蓋体が閉じられると、蓋ロック装置がロック作動し、蓋体がロック状態のもとで洗濯槽に給水が行われるので、安全が確保されるのである。
【００６３】
洗い工程部２１１に入って、蓋体が所定時間（５秒）経過しても閉じられないときには蓋体を閉じることを促す蓋開エラー警告をする（ステップ３１１）。そして、蓋開エラー警告を続けながら、更に所定時間Ｔ２（３分）経過しても閉じられないときには初期状態（ステップ３００）に戻す。洗い工程部２１１に移ってからは蓋体が閉じられない限り、給水を始めとする洗濯動作が一切行われないので安全である。また、蓋体を閉じることを蓋開エラー警告で促し、そして所定時間経過を待っても蓋体が閉じられないとき初期状態に戻すので、行き成り初期状態にするのとは違って、使い勝手をも考慮した安全対策になっている。
【００６４】
給水開始（ステップ３０９）されてから洗濯物の追加や取り出しをしたい都合が生じたときには、スタート・一時停止スイッチ１３７を押す（ステップ３１４）。これにより、蓋体のロックが解除されたロック解除状態になる（ステップ３１５）。
【００６５】
蓋体を開き、洗濯物の追加や取り出しをする。このように、給水を始めとする洗濯動作への移動後も蓋体のロック解除を踏むことで、洗濯物の追加や取り出しの要求に応えることができ、安全性を損なわずに使い勝手性の向上を図ることができる。
【００６６】
なお、ステップ３１４でスタート・一時停止スイッチ１３７を押したのにもかかわらず、蓋体を開けない場合がある。これは、誤ってスタート・一時停止スイッチ１３７を押す場合、あるいは思い違いでする場合がある。このときには、洗濯スイッチ１３２を押すことにより、蓋ロック装置がロック作動し、蓋体がロック状態になるので洗濯動作の再開へと進む。
【００６７】
さて、洗濯物の追加や取り出しを済ませたら蓋体を閉じると蓋体がロックされ、洗濯動作の再開へと移る。この再開に向け、ステップ１３６で、蓋体が開いているか否かが調べられる。蓋体が閉じられていると、蓋ロック装置がロック作動して蓋体がロックされる（ステップ３１７）。
【００６８】
ステップ３１７で蓋体がロックされた後に、再度、蓋体を開けたい場合はスタート・一時停止スイッチ１３７を押す（ステップ３１８）と、先のステップ３１５に移って蓋体のロックが解除される。スタート・一時停止スイッチ１３７が押されないときには、先の設定条件で洗濯動作が再開される（ステップ３１９）。
【００６９】
ステップ３１６で蓋体が開かれたままであると、所定時間Ｔ３（１０秒）経過が計られる（ステップ３２０）。そして、５秒（所定時間Ｔ４）の経過まではステップ３２１で計られ、５秒（所定時間Ｔ４）が過ぎると、ステップ３２２で、蓋体が開かれたままである蓋開エラー警報の報知をしてユーザに蓋体を閉じるように促す。
【００７０】
ステップ３２２での蓋開エラー警報により蓋体を閉じるように促しながら、ステップ３２３で蓋体が閉じられるか否かを逐次調べる。蓋体が閉じられると、先のステップ３１７で蓋ロック装置がロック作動して蓋体がロックされる。逆に蓋体が閉じられず、開いたままの状態が続き、ステップ３２０での所定時間Ｔ３（１０秒）経過を超えると、ステップ３２４で洗濯槽内に洗濯水があるか否かを調べる。
【００７１】
ステップ３２４で規定水位の洗濯水があると判断されたときには強制的に排水される（ステップ３２５）。洗濯槽内の洗濯水が抜けるのに見込まれた所定時間Ｔ５（Ｔ分）経過が計られる（ステップ３２６）。ステップ３２６で所定時間Ｔ５（Ｔ分）経過を超えると、初期状態（ステップ３００）に戻す。
【００７２】
ステップ３２４で洗濯水が規定水位未満であると判断されたときには、ステップ３２７で蓋開エラー警告をして蓋体を閉じるように促す。そして、蓋開エラー警告をしながらステップ３２８で蓋体が閉じられるか否かを逐次調べる。蓋体が閉じられると、先のステップ３１７で蓋ロック装置がロック作動して蓋体がロックされる。
【００７３】
蓋体が閉じられず、所定時間Ｔ６（３分）経過が計られる（ステップ３２９）。所定時間Ｔ６（３分）経過を超えても蓋体が閉じられないときには初期状態（ステップ３００）に戻す。
【００７４】
このように洗い工程部２１１で洗濯槽に給水された後に、蓋体が閉じられずに開けたままのときには、蓋開エラー警告をして蓋体を閉じることを促す。蓋開エラー警告後も蓋体が開けられてまま所定時間経過したら洗濯槽内に溜まる洗濯水の水位を見て安全を損ねる水位のときには洗濯水を抜いて初期状態にする。このため、蓋体が開けたままに置かれても洗濯槽内の洗濯水が抜かれているので安全が保たれる。
【００７５】
また、上述したように蓋体を閉じることを蓋開エラー警告で促し、そして所定時間経過を待っても蓋体が閉じられないときに初期状態に戻すので、行き成り初期状態にするのとは違って、使い勝手をも考慮した安全対策になっている。
【００７６】
スタート・一時停止スイッチ１３７による蓋ロック装置がロック解除は、洗いの運転で機能するもので、脱水２１３を含む以降の工程ではスタート・一時停止スイッチ１３７によるロック解除は機能しない。脱水２１３をしているときに蓋体のロックが解除されないので安全である。また、洗いの運転が済んだ以降では、洗濯物の追加や取り出しは通常行われないので、使い勝手は損なわれない。
【符号の説明】
【００７７】
５…外槽
９…洗濯槽
６…給水電磁弁
３a…脱水穴
１９…電動機
２２…排水電磁弁
６１…制御ユニット部
４…蓋体
１０１…蓋ロック装置のソレノイド
１０２…蓋ロック装置のロックプランジャー
１０６…垂下壁部
１０４…ロックプランジャーが出入りする止穴
１１０…蓋検知スイッチの開閉センサー
１１１…蓋検知スイッチのマグネット
２００…洗いの運転
２１０…洗濯量検知工程部
２１１…洗い工程部
【図１】
2011050675.tif 000003
【図２】
2011050675.tif 000004
【図３】
2011050675.tif 000005
【図４】
2011050675.tif 000006
【図５】
2011050675.tif 000007
【図６】
2011050675.tif 000008
【図７】
2011050675.tif 000009
【図８】
2011050675.tif 000010